(57)【要約】【課題】  ディスプレイデータチャネルを共用するディスプレイの提供。【解決手段】  簡単なチャネルスイッチにより共用のディスプレイデータチャネルを隔離し、外部のホストが直接ＥＥＰＲＯＭ中の拡張ディスプレイ識別データにアクセスできるようにし、ディスプレイの電源がオフの時にマイクロコントローラーに外接されたディスプレイデータチャネルが低電位にあるためにホストのＥＥＰＲＯＭに対するアクセスに影響を与えるのを防止する。並びにディスプレイ電源がオンされた時、上述のチャネルスイッチを切り換えてディスプレイ内部のマイクロコントローラーを共用チャネルを通して上述のＥＥＰＲＯＭ中のデータに直接アクセスさせる。【選択図】        図２
2006189743.tif 000002
【特許請求の範囲】
【請求項１】
ディスプレイデータチャネルを共用するディスプレイにおいて、
ホストに接続された第１チャネルと、
マイクロコントローラーに接続された第２チャネルと、
ディスプレイ電源装置と、
該第１チャネルに接続されて該ホストを該第１チャネルを通して該メモリ装置にアクセスさせるメモリ装置と、
該第１チャネル、該第２チャネル、及びディスプレイ電源装置に接続されてディスプレイ電源装置が起動される時、該第１チャネルと該第２チャネルを導通させるチャネルスイッチと、
該第２チャネル、及び該ディスプレイ電源装置に接続され、ディスプレイ電源装置が起動される時、該チャネルスイッチの切り換えにより、第２チャネルを通して第１チャネルに接続されてメモリ装置にアクセスするマイクロコントローラーと、
を具えたことを特徴とする、ディスプレイデータチャネルを共用するディスプレイ。
【請求項２】
請求項１記載のディスプレイデータチャネルを共用するディスプレイにおいて、電源をメモリ装置に提供する合成電源装置を更に具えたことを特徴とする、ディスプレイデータチャネルを共用するディスプレイ。
【請求項３】
請求項１記載のディスプレイデータチャネルを共用するディスプレイにおいて、内部装置及び電源管理装置を更に具え、該電源管理装置はディスプレイ電源装置、マイクロコントローラー、及び内部装置に接続され、該電源管理装置はマイクロコントローラーが出力する節電信号を受信して電源の内部装置への供給を停止することを特徴とする、ディスプレイデータチャネルを共用するディスプレイ。
【請求項４】
請求項２記載のディスプレイデータチャネルを共用するディスプレイにおいて、合成電源装置がディスプレイ電源装置とホストのホスト電源装置を組み合わせてなり、且つメモリ装置は選択的に該ディスプレイ電源装置の提供する電源か或いはホスト電源装置の提供する電源を受け取ることを特徴とする、ディスプレイデータチャネルを共用するディスプレイ。
【請求項５】
請求項１記載のディスプレイデータチャネルを共用するディスプレイにおいて、メモリ装置がＥＥＰＲＯＭとされたことを特徴とする、ディスプレイデータチャネルを共用するディスプレイ。
【発明の詳細な説明】
【技術分野】
【０００１】
本発明は一種のディスプレイに係り、特にディスプレイデータチャネルを共用するディスプレイに関する。
【背景技術】
【０００２】
テクノロジーの目覚ましい発展により、画像表示の技術はすでに現代の社会で不可欠となっている。例えば、コンピュータスクリーン、テレビジョンスクリーン、モニタ等はいずれもディスプレイにより画像或いは動態画像表示の機能を提供する必要がある。伝統的なディスプレイは、通常、一つの独立チャネルのみを有し、ホストがＥＥＰＲＯＭ中の識別データ（ＥＤＩＤ；Ｅｘｔｅｎｄｅｄ  Ｄｉｓｐｌａｙ  Ｉｄｅｎｔｉｆｉｃａｔｉｏｎ  Ｄａｔａ）にアクセスするのに便利とされている。ただし更新時には二つのＥＥＰＲＯＭを更新しなければならず、時間を浪費する欠点がある。
【０００３】
図１は周知の共用チャネル回路ブロック図である。図中のディスプレイ２０は、ＥＥＰＲＯＭ２２、ディスプレイ電源装置２３、マイクロコントローラー２１、及び内部装置２４を具えている。そのうち、ＥＥＰＲＯＭ２２の電源はホスト電源装置１１より提供される。ホスト１０とディスプレイ２０のマイクロコントローラー２１はいずれもＥＥＰＲＯＭ２２に対してアクセス可能で、ゆえに更新時にはこのＥＥＰＲＯＭ２２に書き込むだけでよく、余分の時間をかけて二つのＥＥＰＲＯＭに書き込む必要がなく、上述の欠点を改善している。ただし本設計にも欠点がある。即ち、ディスプレイ２０のディスプレイ電源装置２３がオフの時、ディスプレイ２０のマイクロコントローラー２１は電源オフ状態とされ、マイクロコントローラー２１に外接されたチャネル２１０部分は低電位状態とされ、この時、ホスト１０のＥＥＰＲＯＭ２２に対するアクセスはチャネル２１０の低電位の影響を受けてアクセス失敗を形成する。このほか、節電モードに欠乏し、ゆえにディスプレイ２０の内部装置２４が電源を消耗し続け、浪費を形成する。
【発明の開示】
【発明が解決しようとする課題】
【０００４】
本発明は一種のディスプレイデータチャネルを共用するディスプレイを提供し、それは、第１チャネル、第２チャネル、ディスプレイ電源装置、メモリ装置、マイクロコントローラー、及びチャネルスイッチを具えている。上述の第１チャネルはメモリ装置と外部のホストを接続し、ホストが第１チャネルを通してメモリ装置中のデータにアクセスできるようにする。上述の第２チャネルはチャネルスイッチに接続されてコントローラーとされる。このほか、上述のチャネルスイッチは更に第１チャネル、及びディスプレイ電源装置に接続され、並びにディスプレイ電源装置がオフの時、上述のチャネルスイッチが上述の第１チャネルと第２チャネルを隔離してマイクロコントローラーに外接された第２チャネル部分が低電位状態となって第１チャネルのデータ伝送に影響を与えるのを防止する。ディスプレイ電源装置がオンされた時、上述のチャネルスイッチは第１チャネルと第２チャネルを導通させ、マイクロコントローラーを第２チャネルを通して第１チャネルに接続させてメモリ装置中のデータにアクセスさせ、上述の欠点を改善する。
【０００５】
そのうち、上述のディスプレイは更に内部装置、及び、電源管理装置を具え、上述の電源管理装置はディスプレイ電源装置、マイクロコントローラー、及び内部装置に接続され、マイクロコントローラーが出力する節電信号を受信して電源の内部装置への供給を停止し、ゆえに周知の電源浪費の欠点を改善する。
【０００６】
このほか、上述の第１チャネル及び第２チャネルはディスプレイデータチャネル（ＤＤＣ；Ｄｉｓｐｌａｙ  Ｄａｔａ  Ｃｈａｎｎｅｌ）を指す。
【課題を解決するための手段】
【０００７】
請求項１の発明は、ディスプレイデータチャネルを共用するディスプレイにおいて、
ホストに接続された第１チャネルと、
マイクロコントローラーに接続された第２チャネルと、
ディスプレイ電源装置と、
該第１チャネルに接続されて該ホストを該第１チャネルを通して該メモリ装置にアクセスさせるメモリ装置と、
該第１チャネル、該第２チャネル、及びディスプレイ電源装置に接続されてディスプレイ電源装置が起動される時、該第１チャネルと該第２チャネルを導通させるチャネルスイッチと、
該第２チャネル、及び該ディスプレイ電源装置に接続され、ディスプレイ電源装置が起動される時、該チャネルスイッチの切り換えにより、第２チャネルを通して第１チャネルに接続されてメモリ装置にアクセスするマイクロコントローラーと、
を具えたことを特徴とする、ディスプレイデータチャネルを共用するディスプレイとしている。
請求項２の発明は、請求項１記載のディスプレイデータチャネルを共用するディスプレイにおいて、電源をメモリ装置に提供する合成電源装置を更に具えたことを特徴とする、ディスプレイデータチャネルを共用するディスプレイとしている。
請求項３の発明は、請求項１記載のディスプレイデータチャネルを共用するディスプレイにおいて、内部装置及び電源管理装置を更に具え、該電源管理装置はディスプレイ電源装置、マイクロコントローラー、及び内部装置に接続され、該電源管理装置はマイクロコントローラーが出力する節電信号を受信して電源の内部装置への供給を停止することを特徴とする、ディスプレイデータチャネルを共用するディスプレイとしている。
請求項４の発明は、請求項２記載のディスプレイデータチャネルを共用するディスプレイにおいて、合成電源装置がディスプレイ電源装置とホストのホスト電源装置を組み合わせてなり、且つメモリ装置は選択的に該ディスプレイ電源装置の提供する電源か或いはホスト電源装置の提供する電源を受け取ることを特徴とする、ディスプレイデータチャネルを共用するディスプレイとしている。
請求項５の発明は、請求項１記載のディスプレイデータチャネルを共用するディスプレイにおいて、メモリ装置がＥＥＰＲＯＭとされたことを特徴とする、ディスプレイデータチャネルを共用するディスプレイとしている。
【発明の効果】
【０００８】
本発明の提供するディスプレイデータチャネルを共用するディスプレイは、簡単なチャネルスイッチにより共用のディスプレイデータチャネルを隔離し、外部のホストが直接ＥＥＰＲＯＭ中の拡張ディスプレイ識別データにアクセスできるようにし、ディスプレイの電源がオフの時にマイクロコントローラーに外接されたディスプレイデータチャネルが低電位にあるためにホストのＥＥＰＲＯＭに対するアクセスに影響を与えるのを防止する。並びにディスプレイ電源がオンされた時、上述のチャネルスイッチを切り換えてディスプレイ内部のマイクロコントローラーを共用チャネルを通して上述のＥＥＰＲＯＭ中のデータに直接アクセスさせる。
【発明を実施するための最良の形態】
【０００９】
図２は本発明の好ましい実施例の電気回路ブロック図である。図示されるように、本発明のディスプレイデータチャネルを共用するディスプレイ３０は、第１チャネル３２０、第２チャネル３１０、ディスプレイ電源装置３３、メモリ装置３８、マイクロコントローラー３１、チャネルスイッチ３７、合成電源装置３６及び内部装置３４を具えている。本実施例中、メモリ装置３８はＥＥＰＲＯＭ３２とされている。
【００１０】
第１チャネル３２０はホスト１０、ＥＥＰＲＯＭ３２、及びチャネルスイッチ３７に接続され、ホスト１０は第１チャネル３２０を通してＥＥＰＲＯＭ３２中の拡張ディスプレイ識別データ（ＥＤＩＤ；Ｅｘｔｅｎｄｅｄ  Ｄｉｓｐｌａｙ  Ｉｄｅｎｔｉｆｉｃａｔｉｏｎ  Ｄａｔａ）にアクセスできる。そのうち、ホスト電源装置１１或いはディスプレイ電源装置３３の少なくとも一方がオンされるだけで、合成電源装置３６はＥＥＰＲＯＭ３２に電源を提供してＥＥＰＲＯＭ３２に正常運転を維持させることができる。例えば、ディスプレイ３０がオフでホスト１０がＥＥＰＲＯＭ３２にアクセスする必要がある時、ディスプレイ電源装置３３は電源を提供できないが、合成電源装置３６がホスト電源装置１１より電源を受け取り並びにＥＥＰＲＯＭ３２に提供して正常運転させる。このとき、マイクロコントローラー３１は電源オフ状態にあり、それに外接された第２チャネル３１０は低電位状態とされるが、第２チャネル３１０の別端に接続されたチャネルスイッチ３７もまた電源オフ状態とされ、ゆえに第１チャネル３２０が第２チャネル３１０に接続不能で、第２チャネル３１０の低電位状態は第１チャネル３２０の伝送に影響を与えない。
【００１１】
ディスプレイ３０の電源オンの後、上述のディスプレイ電源装置３３は電源をチャネルスイッチ３７とマイクロコントローラー３１に提供し、チャネルスイッチ３７が切り換えを実行し、並びに第１チャネル３２０と第２チャネル３１０を導通させ、この時、ホスト１０或いはマイクロコントローラー３１のいずれもＥＥＰＲＯＭ３２に対してデータアクセス実行可能で、共用チャネルの効果を達成し、並びにディスプレイ電源装置３３が電源未提供の時に形成されるデータアクセス失敗を防止する。
【００１２】
上述の合成電源装置３６はダイオード３６１とダイオード３６２を具え、それぞれホスト電源装置１１とディスプレイ電源装置３３に電気的に接続され、並びにいずれかがオンされる時、電源をＥＥＰＲＯＭ３２に提供できる。
【００１３】
このほか、ディスプレイ３０は更に内部装置３４と電源管理装置３５を具え、上述の電源管理装置３５はディスプレイ電源装置３３、マイクロコントローラー３１、及び内部装置３４に接続され、使用者が節電モードに切り換える時、マイクロコントローラー３１より節電信号を電源管理装置３５に送り切り換えを実行し、電源の内部装置３４への提供を停止する。
【００１４】
上述の実施例は本発明の範囲を制限するものではなく、以上の実施例に基づきなしうる細部の修飾或いは改変は、いずれも本発明の請求範囲に属するものとする。
【図面の簡単な説明】
【００１５】
【図１】周知の共用チャネル回路ブロック図である。
【図２】本発明の好ましい実施例の電気回路ブロック図である。
【符号の説明】
【００１６】
２０  ディスプレイ        ２２  ＥＥＰＲＯＭ      ２１  マイクロコントローラー
２３  ディスプレイ電源装置      ２４  内部装置    １０  ホスト
１１  ホスト電源装置            ２１０  チャネル    ３０  ディスプレイ
３２０  第１チャネル            ３１０  第２チャネル
３３  ディスプレイ電源装置      ３１  マイクロコントローラー
３７  チャネルスイッチ          ３６  合成電源装置
３４  内部装置                  ３２  ＥＥＰＲＯＭ
３６１、３６２  ダイオード      ３８  メモリ装置
【図１】
2006189743.tif 000003
【図２】
2006189743.tif 000004